(57)【要約】      （修正有）【課題】ハンドルを容易に持ち上げることができる扉用ハンドル装置の外観構成をコンパクト化する。【解決手段】回転軸体７Ａは、所定形状の取付け座６Ａの中心孔１５に嵌挿する筒軸部１９と、この筒軸部１９の外端部に連設形成されていると共に、その左右の両端面が取付け座６Ａの前面の左右の端部付近まで延在し、かつ少なくともハンドル８Ａの弧状部８ｂと対向する一側部側の肉厚部分が複数本の指が自由に入り込むことができるように切欠された幅広切欠部分２を有する被切欠軸受け部３とから成り、さらに、ハンドル８Ａが垂直状態の時、ハンドル８Ａの両端基部を除き、ハンドル８Ａの弧状部８ｂと取付け座６Ａの下方周端部との間には若干の隙間ａが設定されている。【選択図】図１
2011111725.tif 000002
【特許請求の範囲】
【請求項１】
扉の外周面に固定的に取付けられる取付け座と、この取付け座に装着され、かつ該取付け座の周方向に回転する回転軸体と、この回転軸体の左右の中心部位に両端基部がそれぞれ軸支され、該両端基部を中心にして垂直状態から水平状態へと引き起こされるＵ字形状のハンドルとを備えた扉用ハンドル装置に於いて、前記回転軸体は、所定形状の取付け座の中心孔に嵌挿する嵌合軸部と、この嵌合軸部の外端部に連設形成されていると共に、その左右の両端面が前記取付け座の前面の左右の端部付近まで延在し、かつ、少なくとも前記ハンドルの弧状部と対向する一側部側の肉厚部分が複数本の指が自由に入り込むことができるように切欠された幅広切欠部分２を有する被切欠軸受け部３とから成り、さらに、前記ハンドルが垂直状態の時、該ハンドルの両端基部を除き、該ハンドルの前記弧状部と前記取付け座の下方周端部との間には若干の隙間が設定されていることを特徴とする扉用ハンドル装置。
【請求項２】
請求項１に於いて、取付け座は平板状であり、一方、該平板状の取付け座の前面に位置する回転軸体の被切欠軸受け部３は、横棒に形成されていることを特徴とする扉用ハンドル装置。
【発明の詳細な説明】
【技術分野】
【０００１】
本発明は、扉用ハンドル装置に関し、例えば防火扉、普通一般の建具の室内扉、家具用扉、門扉等の外壁面に取り付けられる扉用ハンドル装置に関する。
【背景技術】
【０００２】
図９及び図１０は、特許文献１に記載の扉用ハンドル装置で、該扉用ハンドル装置は、出願人が提案したものである。この扉用ハンドル装置Ｘは、扉１の外壁面１ａに固定的に取り付けられる取付け座６と、この取付け座６の内側に装着され、かつ該取付け座の周方向に回転する回転軸体７と、この回転軸体の左右の中心部位に両端基部８ａ、８ａがそれぞれ左右一対の枢軸１３，１３を介して軸支され、該両端基部８ａ、８ａを中心にして垂直状態から水平状態へと引き起こされるハンドル８とを備えた扉用ハンドル装置に於いて、該扉用ハンドル装置Ｘの前記扉１の外壁面１ａに取付けた外観構成は、前記取付け座６の外周部分６ｂが環状の突壁であり、また、前記回転軸体７は、前記外周部分６ｂの手前表面から外方向に突出する円盤状であり、さらに、前記ハンドル８は、両端基部８ａ、８ａから回転軸体７の半径外方向へとＵ字形状に延在する指掛け形状であり、かつ両端基部８ａ、８ａに連設する少なくとも中央部の指掛け部分８ｂと回転軸体７の周方向の側面との間には、複数本の指を差し込むことが可能な間隙９が形成されている。
【０００３】
上記円盤状の回転軸体７は、その裏側の一部が取付け座６の横向き凹所１６に嵌合するものの、図１０で示すように、周方向の表面側の側面７ａが取付け座６の環状突起の外周部分６ｂの表面よりも、一部又は全周が外方向に多少突出し、全体として上端部から下端部にかけて緩やかな湾曲状に形成されている。付言すると、ハンドル８の両基端部８ａ、８ａが軸支される周方向の側面７ａの中央部は、肉厚のある厚い部分１１であり、一方、中央部に連続する周方向の側面７ａの上下部位は、それぞれ薄い部分１２となっている。したがって、回転軸体７の周方向の側面７ａは、ハンドルの両基端部８ａ、８ａの枢軸１３を基準にすると、上下方向にそれぞれ半円状の肉厚部分１２，１２を有している。
【０００４】
上記構成に於いて、回転軸体７の裏面の中央部には、水平軸１８用の筒軸部１９が突出形成されており、錠箱内に位置する水平軸１８の端部には、図示しない回転カムや伝動部材が取付けられる。また、回転軸体７が取付け座６から抜けないように、例えば筒状の抜け止め部材２０が前記筒軸部１９乃至回転軸体７に外嵌合し、かつ抜け止め部材２０と筒軸部１９並びに回転軸体７は固着具２１を介して一体的と成る。したがって、ハンドル８は、間隙９内に複数本の指を差し込むことにより、その中央部の指掛け部分８ｂを握って、図１０で示すように水平状態へと持ち上げることができる。また、回転軸体７がハンドル８を介して所定方向に回転すると、抜け止め部材２０及び水平軸１８も同方向へ回転する。なお、符号５は固定手段、５ａはメネジ筒である（符号は、特許文献１と同じ）。
【０００５】
ところで、特許文献１に記載の扉用ハンドル装置は、Ｕ字形状のハンドル８の弧状部８ｂの内周面と回転軸体７の下方半円状の肉厚部分１２の側面との間に複数本の指を差し込むことが可能な間隙９が形成されているので、前記弧状部８ｂに複数本の指を容易に掛けることができ、しかもハンドルを強く手前側に引くときに指が痛くならないという利点を有するものの、（ａ）ハンドル８の弧状部８ｂを、回転軸体７の下方半円状の肉厚部分１２の側面或いは取付け座６の下端部から所要量突出させなければならないので、扉用ハンドル装置の外観構成（形態）をコンパクト化できない、（ｂ）また、回転軸体７の下方半円状の肉厚部分１２の側面との間隙が目に付き易いので、子供等が悪戯する可能性が強い等の問題点があった。そこで、特許文献１の実施例の利点を生かしながら、意匠上の美観性に優れた新規な建具用ハンドルの出現が期待されている。
【先行技術文献】
【特許文献】
【０００６】
【特許文献１】特開２００９−１６７６５０号公報
【発明の概要】
【発明が解決しようとする課題】
【０００７】
本発明の所期の目的は、特許文献１（機能性−ハンドルを容易に持ち上げることができること）の利点を生かしながら、扉用ハンドル装置の外観構成（形態）をコンパクト化することである。また、本発明の第２の目的は、静音効果にも優れている扉用ハンドル装置を提案することである。さらに、扉用ハンドル装置の構成を可能な限り、シンプルにすることができることである。
【課題を解決するための手段】
【０００８】
本発明の扉用ハンドル装置は、扉の外周面に固定的に取付けられる取付け座と、この取付け座に装着され、かつ該取付け座の周方向に回転する回転軸体と、この回転軸体の左右の中心部位に両端基部がそれぞれ軸支され、該両端基部を中心にして垂直状態から水平状態へと引き起こされるＵ字形状のハンドルとを備えた扉用ハンドル装置に於いて、前記回転軸体は、所定形状の取付け座の中心孔に嵌挿する嵌合軸部と、この嵌合軸部の外端部に連設形成されていると共に、その左右の両端面が前記取付け座の前面の左右の端部付近まで延在し、かつ、少なくとも前記ハンドルの弧状部と対向する一側部側の肉厚部分が複数本の指が自由に入り込むことができるように切欠された幅広切欠部分２を有する被切欠軸受け部３とから成り、さらに、前記ハンドルが垂直状態の時、該ハンドルの両端基部を除き、該ハンドルの前記弧状部と前記取付け座の下方周端部との間には若干の隙間が設定されていることを特徴とする。該構成に於いて、取付け座は平板状であり、一方、該平板状の取付け座の前面に位置する回転軸体の被切欠軸受け部３は、横棒に形成されていることを特徴とする。ここで「若干の隙間」とは、指を差し込むことができない間隙部分をいう。
【発明の効果】
【０００９】
（ａ）回転軸体は、所定形状の取付け座の中心孔に嵌挿する嵌合軸部と、この嵌合軸部の外端部に連設形成されていると共に、その左右の両端面が前記取付け座の前面の左右の端部付近まで延在し、かつ、少なくとも前記ハンドルの弧状部と対向する一側部側の肉厚部分が複数本の指が自由に入り込むことができるように切欠された幅広切欠部分２を有する被切欠軸受け部３とから成るので、特許文献１（機能性−ハンドルを容易に持ち上げることができること）の利点を生かしながら、扉用ハンドル装置の外観構成（形態）をコンパクト化することができる。
（ｂ）ハンドルが垂直状態の時、該ハンドルの両端基部を除き、該ハンドルの弧状部と前記取付け座の下方周端部との間には若干の隙間が設定されているので、ハンドルを操作中に於いて、その水平状態から指を離しても、前記ハンドルの両端基部が取付け座の左右縁部に当接するだけである。付言すると、ハンドルの弧状部の内周面が取付け座の前面に衝突しないので、静音効果を得ることができる。
（ｃ）請求項２に記載の発明は、扉用ハンドル装置の構成を可能な限り、シンプルにすることができる。
【図面の簡単な説明】
【００１０】
図１乃至図８は本発明の最良の実施例を示す各説明図。
【図１】発明の実施の環境を示す各概略説明図（正面視）。
【図２】発明の実施の環境を示す各概略説明図（右側面視）。
【図３】図３は、正面視に於いて、その一部を断面で示した概略説明図。
【図４】平面視からの概略説明図。
【図５】右側面視からの概略説明図
【図６】斜視図。
【図７】ハンドルを引き出した状態の一部概略断面説明図。
【図８】従来の回転軸体７と本実施例の回転軸体７Ａの形態の違いを示す正面視からの説明図。
【図９】従来の実施例を示す各概略説明図（正面視）。
【図１０】従来の実施例のハンドルを引き出した状態の一部概略断面説明図。
【発明を実施するための最良の形態】
【００１１】
以下、図１乃至図８に示す本発明を実施するための最良の形態により説明する。
【００１２】
（１）発明の実施の環境
図１及び図２は、発明の実施の環境を示す各概略説明図である。図１は、扉用ハンドル装置Ｘが扉１の開放端部の外壁面１ａに取付けられた正面視、図２は、図１の右側面視からハンドル装置Ｘと共に扉、壁、錠箱等の環境部材を示す概略説明図である。図１及び図２に於いて、Ｘはハンドル装置である。扉１の基端部は、図示しない蝶番を介して戸枠の縦枠に軸支されている。したがって、ハンドル装置Ｘの後述するハンドルを手前に引く操作をすると、扉１は水平方向に回転する。
【００１３】
ここで、図２を基準にして、扉用ハンドル装置Ｘの環境部材を説明する。前述したように、１は水平方向に開閉する扉で、この扉１は、実施例では、建具の一例としての防火扉である。扉１は、この防火扉に限定されず、普通一般の建具の室内扉、門扉、家具用扉、事務用機器の扉、金庫等の扉も含まれる。また、符号４は扉１の開放端部に内装された錠箱である。ハンドル装置Ｘは、扉１、錠箱４及び固定手段５等を介して他方のハンドルの取付け座に一体的に連結される。以下、本発明の特徴部分について説明するが、ここでは、図９及び図１０に示した従来の実施例と主に異なる点について説明し、同一の部分には同一又は同様の符号を付して重複する説明を割愛する。また、細部的な事項は図面及びその説明を割愛する。
【００１４】
（２）本発明の特徴部分
図３は、正面視に於いて、その一部を断面で示した概略説明図、図４は平面視からの概略説明図、図５は右側面視からの概略説明図、図６は本発明の特徴部分を示す斜視図、図７はハンドルを引き出した状態の一部概略断面説明図、図８は従来の実施例と相違点を示す概略説明図である。
【００１５】
図１乃至図８で示すように、扉用ハンドル装置Ｘは、扉１の外周面１ａに固定的に取付けられる取付け座６Ａと、この取付け座６Ａに装着され、かつ該取付け座６Ａの周方向に回転する回転軸体７Ａと、この回転軸体７Ａの左右の中心部位に両端基部８ａ、８ａがそれぞれ軸支され、該両端基部を中心にして垂直状態から水平状態へと引き起こされるＵ字形状のハンドル８Ａとを備えたている点は、従来の実施例と同様である（一致点）。
【００１６】
しかしながら、本発明の実施例は、次の事項が相違する。すなわち、（ａ）回転軸体７Ａは、所定形状の取付け座６Ａの中心孔１５に嵌挿する嵌合軸部１９と、この嵌合軸部１９の外端部に連設形成されていると共に、その左右の両端面が前記取付け座６Ａの前面の左右の端部付近まで延在し、かつ、少なくともハンドル８Ａの弧状部８ｂと対向する一側部側の肉厚部分が複数本の指が自由に入り込むことができるように切欠された幅広切欠部分２を有する被切欠軸受け部３とから成る点、（ｂ）また、ハンドル８Ａが垂直状態の時、該ハンドルの両端基部８ａ、８ａを除き、該ハンドルの弧状部８ｂと角形状又は円形形状の取付け座６Ａの下方周端部６ｂとの間には若干の隙間ａが設定されている点、但し、前記若干の隙間ａには、ハンドル８Ａを動かさない状態で、人差し指、薬指等の指を差し込むことができない。本実施例では、前記被切欠軸受け部３は横棒に形成されている点、である。
【００１７】
なお、（ｃ）本実施例の取付け座６Ａは、中心部に中心孔（軸孔）を有する平板形状であるのに対して、従来の取付け座６は、平板形状のベース板部６ａに外周部分（環状の突壁）６ｂが周設されている点も相違する。
【００１８】
付言すると、従来の回転軸体７は、取付け座６の外周部分６ｂの手前表面から外方向に突出する円盤状に形成され、しかも、ハンドル８の両基端部８ａ、８ａが軸支される周方向の側面７ａの中央部は、肉厚のある厚い部分１１であり、一方、中央部に連続する周方向の側面７ａの上下部位は、それぞれ薄い部分１２、１２となっていたのに対して、本実施例の回転軸体７Ａは、例えば横棒に形成され、前記薄い部分１２、１２が存在しない（水平方向にカットされている）。図８は、従来の回転軸体７と本実施例の回転軸体７Ａの形態の違いを示す正面視からの説明図である。
【００１９】
ところで、ハンドル８も、例えば図１で示すように、Ｕ字形状に形成され、その両基端部（図１では上端部）８ａ、８ａは、左右一対の枢軸１３にそれぞれ軸支されている。ピン状の枢軸１３は、望ましくは両基端部８ａの表面から見えないように、回転軸体７の裏面の左右中央部にそれぞれ形成した図示しない切欠部から嵌め込むようにして取付けられる（例えば圧入）。
【００２０】
また、ハンドル８は、前述したように、両端基部８ａ、８ａから回転軸体７の半径外方向へとＵ字形状に延在する指掛け形状であり、かつ両端基部８ａ、８ａに連設する少なくとも中央部の指掛け部分８ｂと回転軸体７の下面側の側面３ａとの間には、複数本の指を差し込むことが可能な切欠部分２+若干の間隙ａが形成されている。
【００２１】
ハンドル８Ａは、不使用の常態時は、図１や図２で示すように垂直状態に折り畳まれている。一方、緊急時や扉１を所定位置まで回転させたい時は、複数本の指先を「切欠部分２+若干の間隙ａ」の中に差し込むようにしてハンドル８Ａを手前側に若干動かし、次に、その中央部の指掛け部分８ｂに指を掛け、図６や図７で示すように、ハンドル８Ａを手前に引き出す。その後、例えば施錠時、ハンドル８Ａを持ちながら回転軸体７Ａを所定方向に回転することができる。
【実施例】
【００２２】
発明の実施の形態で示した実施例に於いて、回転軸体７Ａの被切欠軸受け部３は横棒に形成されているが、回転軸体７Ａの上面側の側面３ａの形状は任意に設計変更可能である。
【産業上の利用可能性】
【００２３】
本発明は、主に錠前や建具の業界で利用される。
【符号の説明】
【００２４】
Ｘ…ハンドル装置、1…扉、１ａ…扉の外壁面、２…切欠部分、３…被切欠軸受け部、３ａ…回転軸体７の下面側の側面、３ｂ…回転軸体７Ａの上面側の側面、４…錠箱、６Ａ…取付け座、７Ａ…回転軸体、８Ａ…ハンドル、８ａ…両端基部、８ｂ…指掛け部分、ａ…若干の間隙、１３…枢軸、１５…中心孔、１９…筒軸部、２０…抜け止め部材、２１…固着具。
【図１】
2011111725.tif 000003
【図２】
2011111725.tif 000004
【図３】
2011111725.tif 000005
【図４】
2011111725.tif 000006
【図５】
2011111725.tif 000007
【図６】
2011111725.tif 000008
【図７】
2011111725.tif 000009
【図８】
2011111725.tif 000010
【図９】
2011111725.tif 000011
【図１０】
2011111725.tif 000012